(57)【特許請求の範囲】
【請求項１】
表示部を搭載している第１の筐体と、第１の方向に上記第１の筐体とスライド自在に連結されている第２の筐体と、上記第１の方向と異なる第２の方向に上記第２の筐体とスライド自在に連結され、上記第１の筐体に搭載されている表示部と電気的に直接接続されているキー操作部を搭載している第３の筐体とを備えた携帯端末機器。
【請求項２】
第１の筐体と第２の筐体が開いている状態で、第２の筐体の表面が押下されると、第３の筐体に搭載されているキー操作部が上記押下に反応してキー操作を受け付けることを特徴とする請求項１記載の携帯端末機器。
【請求項３】
第１の方向に刻まれている溝と第２の方向に刻まれている溝からなる第１のガイド溝が第１の筐体又は第３の筐体に施され、上記第２の方向に溝が刻まれている第２のガイド溝が第２の筐体に施され、上記第１のガイド溝及び上記第２のガイド溝と係合されるガイドピンが上記第３の筐体又は上記第１の筐体に固定されていることを特徴とする請求項１記載の携帯端末機器。
【請求項４】
一端が第１の筐体、第２の筐体又は第３の筐体のいずれかと接続され、他端がガイドピンと接続される弾性部材を設置し、上記弾性部材の作用により、上記第１の筐体と上記第２の筐体が閉じている状態では、閉じている状態を維持する維持力が上記第１の筐体に与えられ、第１の方向に向かう所定の値を超える押圧力が上記第１の筐体に加わると、上記第１の方向へのスライドを補助する補助力が上記第１の筐体に与えられ、上記第１の筐体と上記第２の筐体が上記第１の方向に完全に開いている状態では、開いている状態を維持する維持力が上記第１の筐体に与えられ、また、第２の方向に向かう所定の値を超える押圧力が上記第１の筐体又は上記第２の筐体に加わると、上記第２の方向へのスライドを補助する補助力が上記第１の筐体又は上記第２の筐体に与えられ、上記第２の筐体と上記第３の筐体が上記第２の方向に完全に開いている状態では、開いている状態を維持する維持力が上記第１の筐体又は上記第２の筐体に与えられることを特徴とする請求項３記載の携帯端末機器。
【請求項５】
ガイドピンが、第２の筐体を貫通する方向に形成された中空部を有する筒形状であり、第１の筐体に搭載されている表示部と第３の筐体に搭載されているキー操作部を電気的に接続する電気ケーブルが上記中空部に配線されていることを特徴とする請求項３または請求項４記載の携帯端末機器。
【請求項６】
第２の筐体を抱え込むように上記第２の筐体と係合する第１のスライドレールが第１の方向に沿って第１の筐体に施され、第３の筐体を抱え込むように上記第３の筐体と係合する第２のスライドレールが第２の方向に沿って上記第２の筐体に施されていることを特徴とする請求項１から請求項５のうちのいずれか１項記載の携帯端末機器。
【請求項７】
表示部を搭載している第１の筐体と、第１の方向に上記第１の筐体とスライド自在に連結されている第２の筐体と、上記第１の方向と異なる第２の方向に上記第２の筐体とスライド自在に連結され、上記第１の筐体に搭載されている表示部と電気的に直接接続されているキー操作部を搭載している第３の筐体とを備え、上記第２の筐体を抱え込むように上記第２の筐体と係合する第１のスライドレールが上記第１の方向に沿って上記第１の筐体に施され、上記第３の筐体を抱え込むように上記第３の筐体と係合する第２のスライドレールが上記第２の方向に沿って上記第２の筐体に施されていることを特徴とする携帯端末機器。
【請求項８】
第１の筐体を抱え込むように上記第１の筐体と係合する第１のスライドレールが第１の方向に沿って第２の筐体に施され、第３の筐体を抱え込むように上記第３の筐体と係合する第２のスライドレールが第２の方向に沿って上記第２の筐体に施されていることを特徴とする請求項１から請求項５のうちのいずれか１項記載の携帯端末機器。
【請求項９】
表示部を搭載している第１の筐体と、第１の方向に上記第１の筐体とスライド自在に連結されている第２の筐体と、上記第１の方向と異なる第２の方向に上記第２の筐体とスライド自在に連結され、上記第１の筐体に搭載されている表示部と電気的に直接接続されているキー操作部を搭載している第３の筐体とを備え、上記第１の筐体を抱え込むように上記第１の筐体と係合する第１のスライドレールが上記第１の方向に沿って上記第２の筐体に施され、上記第３の筐体を抱え込むように上記第３の筐体と係合する第２のスライドレールが上記第２の方向に沿って上記第２の筐体に施されていることを特徴とする携帯端末機器。
【請求項１０】
第２の筐体の端が第１の方向及び第２の方向に沿って曲げ加工されて、第１のスライドレール及び第２のスライドレールが形成されていることを特徴とする請求項８または請求項９記載の携帯端末機器。
【発明の詳細な説明】
【技術分野】
【０００１】
この発明は、例えば、携帯型ゲーム機、ＰＤＡ、携帯電話機などの携帯端末機器に関し、特に、二方向にスライド開閉可能な携帯端末機器に関するものである。
【背景技術】
【０００２】
近年、２つの筐体が開閉可能なスライド式の携帯電話機やキーボード付きの携帯端末機器が広く普及してきている。
最近では、縦方向及び横方向のいずれにも、スライド開閉可能な携帯端末機器が出現し始めている。
【０００３】
以下の特許文献１に開示されている携帯端末機器では、第１の筐体の裏面と第２の筐体の表面が、長手方向に沿って連続する第１レールと、第１レールに対して交差連結されている第２レールとによって係合される構造になっている。
これにより、第１の筐体及び第２の筐体が第１レールに沿って相対移動された第１の伸長状態、または、第１の筐体及び第２の筐体が第２レールに沿って相対移動された第２伸長状態を選択することが可能になっている。
【０００４】
ただし、２つの筐体から構成される携帯端末機器では、二方向のスライド開閉を可能にする必要上、スライド量を大きく取ることができず、キー操作を行うのに十分な領域を確保することが困難である。
このため、キーの寸法を小さくしたり、キーの数を減らしたりする必要がある。また、構造上、スライドする際のガタツキが大きくなることがある。
【０００５】
以下の特許文献２に開示されている携帯端末機器では、スライド量の確保やガタツキの抑制を図るために、３つの筐体で携帯端末機器を構成するようにしている。
しかし、３つの筐体で構成すると、２つの筐体で構成する場合より厚みが大きくなり、商品性を損なう可能性がある。
また、第１の方向と第２の方向に同時にスライドすることが可能な構造であるため、構造的強度や制御の煩雑性が問題になる。
なお、以下の特許文献３，４に開示されている携帯端末機器では、二方向のいずれのスライド量も確保することができるが、二方向のいずれにおいても、同一のキー配置となる。
【０００６】
【特許文献１】特開２００７−１８１０５０号公報（段落番号［００１６］から［００２７］、図１）
【特許文献２】特表２００７−５１８１５５号公報（段落番号［００１３］から［００１６］、図１）
【特許文献３】特開２００７−６８１７５号公報（段落番号［００１８］から［００３３］、図３）
【特許文献４】特開２００７−１１０７２６号公報（段落番号［００１８］から［００４７］、図１）
【発明の開示】
【発明が解決しようとする課題】
【０００７】
従来の携帯端末機器は以上のように構成されているので、３つの筐体で構成すれば、スライド量の確保やガタツキの抑制を図ることができる（特許文献２を参照）。しかし、３つの筐体で構成すると、２つの筐体で構成する場合より厚みが大きくなり、商品性を損なってしまう課題があった。
なお、特許文献３，４によれば、二方向のいずれのスライド量も確保することができるが、二方向のいずれにおいても、同一のキー配置となり、キー操作が不便になる課題があった。また、スライドした状態において、正面視でスライドガイド機構が露出してしまう課題があった。
【０００８】
この発明は上記のような課題を解決するためになされたもので、第２の筐体を薄くすることができるようにして、３つの筐体で構成しても、全体の厚みを抑えることができる携帯端末機器を得ることを目的とする。
【課題を解決するための手段】
【０００９】
この発明に係る携帯端末機器は、第１の筐体に搭載されている表示部と、第３の筐体に搭載されているキー操作部とを電気的に直接接続するようにする。
【発明の効果】
【００１０】
この発明によれば、第１の筐体に搭載されている表示部と、第３の筐体に搭載されているキー操作部とを電気的に直接接続するように構成したので、第２の筐体を薄くすることができるようになり、３つの筐体で構成しても、全体の厚みを抑えることができる効果がある。
【発明を実施するための最良の形態】
【００１１】
実施の形態１．
図１はこの発明の実施の形態１による携帯端末機器を示す斜視図である。
図１では、携帯端末機器が携帯電話機である例を示しているが、携帯端末機器が携帯電話機であるものに限るものではなく、例えば、ＰＤＡ、携帯ゲーム機、ポケットコンピュータ等の携帯端末機器であってもよい。
図２は図１の携帯端末機器が縦方向（第１の方向）に開いている状態を示す斜視図であり、図３は図１の携帯端末機器が横方向（第２の方向）に開いている状態を示す斜視図である。
【００１２】
図１〜３において、第１の筐体１は表示部４を搭載している。
第２の筐体２は縦方向に第１の筐体１とスライド自在に連結されており、第２の筐体２の表面にはキー操作部５が配置されている。
第３の筐体３は横方向に第２の筐体２とスライド自在に連結され、第１の筐体１に搭載されている表示部４と電気的に直接接続されているキー操作部６を搭載している。
【００１３】
図４は図１の携帯端末機器の分解斜視図である。
図４において、第１の筐体１はフロントケース７とリアケース８から構成されており、第３の筐体３はフロントケース９とリアケース１０から構成されている。
第１のガイド溝１１は第１の筐体１のリアケース８に施されている線状穴であり、第１のガイド溝１１は縦方向に刻まれている溝と横方向に刻まれている溝から構成されている。
第２のガイド溝１２は第２の筐体２に施されている線状穴であり、第２のガイド溝１２は横方向に刻まれている。
【００１４】
ガイドピン１３は第２の筐体２を貫通する方向に形成された中空部を有する筒形状であり、第３の筐体３に固定されている。また、ガイドピン１３は第１のガイド溝１１及び第２のガイド溝１２と係合される。
電気ケーブル１４は一端が第１の筐体１に設置されたコネクタ１５に接続され、ガイドピン１３の中空部内を配線されて、他端が第３の筐体３に接続されることにより、第１の筐体１に搭載されている表示部４と第３の筐体３に搭載されているキー操作部６を電気的に接続している。
ただし、コネクタ１５と表示部４の間に他の部品が介在し、電気ケーブル１４の他端とキー操作部６の間に他の部品が介在している場合もある。
【００１５】
バネ１６は一端が第１の筐体１のリアケース８と接続され、他端がガイドピン１３と接続される弾性部材である。
図４の例では、携帯端末機器が分解状態であるため、バネ１６の他端がガイドピン１３と接続されていないが、携帯端末機器が組み立てられている状態では、バネ１６の他端がガイドピン１３と接続される（図７〜９を参照）。
図４の例では、バネ１６の一端が第１の筐体１のリアケース８と接続されているものについて示しているが、一端が第２の筐体２又は第３の筐体３のフロントケース９と接続されていてもよい。
また、図４の例では、第１のガイド溝１１が第１の筐体１のリアケース８に施されているものについて示しているが、第１のガイド溝１１が第３の筐体３のフロントケース９に施されていてもよい。この場合、ガイドピン１３は第１の筐体１に固定される。
【００１６】
図５は図１の携帯端末機器が縦方向に開いている状態におけるキー操作部５，６の縦方向の断面図である。
図５において、第２の筐体２のキー操作部５はボタンスイッチ１７及びクッション１８から構成されており、ボタンスイッチ１７はクッション１８を介して第２の筐体２に設置されている。
第３の筐体３のキー操作部６はキーシート１９及びドームスイッチ２０が配列されている基板２１から構成されている。
図５の例では、ユーザがボタンスイッチ１７を上から押すと、クッション１８が圧縮されてボタンスイッチ１７が沈み込み、ボタンスイッチ１７がキーシート１９を押下する。
キーシート１９が押下さると、そのキーシート１９の下に配列されているドームスイッチ２０が押され、所望のキー操作が可能になる。
【００１７】
次に動作について説明する。
ガイドピン１３が第１の筐体１のリアケース８に施されている第１のガイド溝１１と係合されると同時に、第２の筐体２に施されている第２のガイド溝１２と係合されるため、携帯端末機器が縦方向及び横方向に閉じている状態では、図７に示すように、ガイドピン１３が第２のガイド溝１２の左端（第１のガイド溝１１の角部分）に位置する。
携帯端末機器が縦方向及び横方向に閉じている状態では、バネ１６の作用により、閉じている状態を維持する維持力が第１の筐体１のリアケース８に与えられ、閉じている状態が維持される。
【００１８】
携帯端末機器が縦方向及び横方向に閉じている状態において、ユーザが縦方向（図中、上方向）に第１の筐体１を押圧すると、図８に示すように、ガイドピン１３が第１ガイド溝１１に沿って縦方向（図中、下方向）に移動することにより、第２の筐体２と第３の筐体３が重なり合った状態で、第１の筐体１が縦方向にスライドする。このとき、ガイドピン１３は第１ガイド溝１１に沿って縦方向に移動するので、第１の筐体１が横方向に移動することが規制される。
なお、ユーザによる縦方向の押圧力が所定の値を超えると、バネ１６の作用により、縦方向へのスライドを補助する補助力が第１の筐体１に与えられ、スライド動作が補助される。
第１の筐体１と第２の筐体２が縦方向に開き切ると、バネ１６の作用により、開いている状態を維持する維持力が第１の筐体１に与えられ、開いている状態が維持される。
【００１９】
次に、携帯端末機器が縦方向及び横方向に閉じている状態において、ユーザが横方向（図中、左方向）に第１の筐体１又は第２の筐体２を押圧すると、図９に示すように、ガイドピン１３が第１ガイド溝１１及び第２のガイド溝１２に沿って横方向（図中、右方向）に移動することにより、第１の筐体１と第２の筐体２が重なり合った状態で、第１の筐体１と第２の筐体２が横方向にスライドする。このとき、ガイドピン１３は第１ガイド溝１１及び第２のガイド溝１２に沿って横方向に移動するので、第１の筐体１と第２の筐体２が縦方向に移動することが規制される。
なお、ユーザによる横方向の押圧力が所定の値を超えると、バネ１６の作用により、横方向へのスライドを補助する補助力が第１の筐体１に与えられ、スライド動作が補助される。
第１の筐体１と第２の筐体２が重なり合った状態で、横方向に開き切ると、バネ１６の作用により、開いている状態を維持する維持力が第１の筐体１に与えられ、開いている状態が維持される。
【００２０】
次に、携帯端末機器が縦方向に開いている状態において（図８を参照）、ユーザがボタンスイッチ１７を上から押すと、図５に示すように、クッション１８が圧縮されてボタンスイッチ１７が沈み込み、ボタンスイッチ１７がキーシート１９を押下する。
キーシート１９が押下されると、そのキーシート１９の下に配列されているドームスイッチ２０が押され、所望のキー操作が可能になる。
このように、第２の筐体２におけるボタンスイッチ１７を押すことで、第３の筐体３におけるドームスイッチ２０を操作することが可能であるため、第２の筐体２のキー配置と第３の筐体３のキー配置を別々の構成とすることができる。
また、第２の筐体２に配置されるキーは、簡単な構造あるいはキーデザインだけでも実現することができるため、第２の筐体２に、第３の筐体３とは別の電気スイッチやタッチセンサーなどの部品を設置する構成と比較すると、第２の筐体２の厚みを薄くすることが可能になる。
【００２１】
ここで、第１の筐体１に搭載されている表示部４と第３の筐体３に搭載されているキー操作部６は、図４に示すように、ガイドピン１３の中空部内を配線されている電気ケーブル１４によって電気的に接続されている。
このように、電気ケーブル１４によって第１の筐体１と第３の筐体３を電気的に直接接続しているため、第２の筐体２に搭載する部品を削減することが可能である。
即ち、第１の筐体１と第２の筐体２を電気的に接続し、なおかつ、第２の筐体２と第３の筐体２を電気的に接続する構成と比較して、コネクタなどの接続空間を第２の筐体２に確保する必要がないため、携帯端末機器全体の厚みを薄くすることができる。
【００２２】
以上で明らかなように、この実施の形態１によれば、第１の筐体１に搭載されている表示部４と、第３の筐体３に搭載されているキー操作部６とを電気的に直接接続するように構成したので、第２の筐体２を薄くすることができるようになり、３つの筐体で構成しても、全体の厚みを抑えることができる効果を奏する。
【００２３】
また、この実施の形態１によれば、第１の筐体１と第２の筐体２が開いている状態で、第２の筐体２の表面が押下されると、第３の筐体３に搭載されているキー操作部６が上記押下に反応してキー操作を受け付けるように構成したので、第２の筐体２のキー配置と第３の筐体３のキー配置を別々の構成とすることができる効果を奏する。
また、第２の筐体２に配置されるキーを、簡単な構造あるいはキーデザインだけでも実現することができるため、第２の筐体２に、第３の筐体３とは別の電気スイッチやタッチセンサーなどの部品を設置する構成と比較すると、第２の筐体２の厚みを薄くすることが効果を奏する。
【００２４】
また、この実施の形態１によれば、第１のガイド溝１１が第１の筐体１又は第３の筐体３に施され、第２のガイド溝１２が第２の筐体２に施され、第１のガイド溝１１及び第２のガイド溝１２と係合されるガイドピン１３が第３の筐体３又は第１の筐体１に固定されているように構成したので、二方向のスライド開閉動作が可能になる。また、二方向同時のスライド開閉が規制される構造であり、二方向に同時に開くことがないため、構造的強度に優れ、また、複雑な制御が不要になる。
【００２５】
この実施の形態１によれば、一つのバネ１６で二方向のスライド動作を補助することが可能であるため、部品コストの削減や実装空間の有効活用を図ることができる効果を奏する。
また、この実施の形態１によれば、ガイドピン１３が、第２の筐体２を貫通する方向に形成された中空部を有する筒形状であり、第１の筐体１に搭載されている表示部４と第３の筐体３に搭載されているキー操作部６を電気的に接続する電気ケーブル１４が上記中空部に配線されているように構成したので、ガイドピン１３の外側もしくは別の箇所に配線する領域を確保する構造よりも、追加部品を不要にして、構造を簡素化することができる効果を奏する。
また、スライド開閉動作に連動するガイドピン１３の中空部に配線を通すだけでよいため、２通りのスライド開状態に対応する複雑な引き回しが不要になり、配線し易い構造となる。その結果、スライド開閉の耐久性の点でも有利な配線構造となる。
【００２６】
実施の形態２．
上記実施の形態１では、第２の筐体２のキー操作部５がボタンスイッチ１７及びクッション１８から構成され、第３の筐体３のキー操作部６がキーシート１９及びドームスイッチ２０が配列されている基板２１から構成されているものについて示したが、図６に示すように、ボタンがデザインされたキーパネル２２を第２の筐体２のキー操作部５に設置し、タッチセンサー２３を第３の筐体３のキー操作部６に設置するようにしてもよい。
この場合、ユーザがキーパネル２２を上から押すと、タッチセンサー２３が反応するため、所望のキー操作が可能になる。
なお、第２の筐体２のキー操作部５及び第３の筐体３のキー操作部６の構成は、図５及び図６の構成に限るものではなく、第２の筐体２のキー操作部５から第３の筐体３のキー操作部６を直接操作可能な構成であればよい。
【００２７】
実施の形態３．
図１０はこの発明の実施の形態３による携帯端末機器を示す斜視図である。
また、図１１は図１０の携帯端末機器の横方向断面図であり、図１２は図１０の携帯端末機器の縦方向断面図である。
図１０〜１２において、図１〜３と同一符号は同一または相当部分を示すので説明を省略する。
第１のスライドレール２４は縦方向に沿って第１の筐体１に施されており、第１のスライドレール２４は第２の筐体２を抱え込み、筐体側面から突出することなく、第２の筐体２と係合している。
第２のスライドレール２５は横方向に沿って第２の筐体２に施されており、第２のスライドレール２５は第３の筐体３を抱え込み、筐体側面から突出することなく、横方向に沿って第３の筐体３に施されているスライドケース２６と係合している。
なお、２７は横方向断面の切断箇所を示し、２８は縦方向断面の切断箇所を示している。
【００２８】
次に動作について説明する。
この実施の形態３における携帯端末機器は、第１のスライドレール２４が縦方向に沿って第１の筐体１に施されており、第１のスライドレール２４が第２の筐体２を抱え込み、筐体側面から突出することなく、第２の筐体２と係合している。
これにより、第１の筐体１に対して、第２の筐体２と第３の筐体３が重なり合った状態で、縦方向にスライドすることが可能になる。
【００２９】
また、第２のスライドレール２５が横方向に沿って第２の筐体２に施されており、第２のスライドレール２５が第３の筐体３を抱え込み、筐体側面から突出することなく、横方向に沿って第３の筐体３に施されているスライドケース２６と係合している。
これにより、第２の筐体２に対して、第３の筐体３が横方向にスライドすることが可能になる。
【００３０】
なお、図１３は第１のガイド溝２９と第２のガイド溝１２で構成されるスライドガイド機構を一つ備える例を示しており、スライドガイド機構を一つとすることで、スライドガイド機構を二つ以上備える構成と比較して、第１のガイド溝２９のようにスライド寸法を大きく取ることができ、キー操作部５の領域を更に拡大することが可能になる。
【００３１】
以上で明らかなように、この実施の形態３によれば、第２の筐体２を抱え込むように第２の筐体２と係合する第１のスライドレール２４が縦方向に沿って第１の筐体１に施され、第３の筐体３を抱え込むように第３の筐体３と係合する第２のスライドレール２５が横方向に沿って第２の筐体２に施されるように構成したので、スライド開閉時のガタツキを抑制することができるとともに、滑らかなスライド動作を実現することができる効果を奏する。
なお、スライドレールとスライドケースが筐体側面から突出することなく係合するため、筐体を閉じた状態でのデザイン性を損ねることがなくなる。
【００３２】
実施の形態４．
図１４はこの発明の実施の形態４による携帯端末機器を示す斜視図である。
また、図１５は図１４の携帯端末機器の横方向断面図であり、図１６は図１４の携帯端末機器の縦方向断面図である。
図１４〜１６において、図１〜３及び図１１〜１３と同一符号は同一または相当部分を示すので説明を省略する。
第１のスライドレール３０は縦方向に沿って第２の筐体２に施されており、第１のスライドレール３０は第１の筐体１を抱え込み、筐体側面から突出することなく、縦方向に沿って第１の筐体１に施されている第１のスライドケース３１と係合している。
第２のスライドレール３２は横方向に沿って第２の筐体２に施されており、第２のスライドレール３２は第３の筐体３を抱え込み、筐体側面から突出することなく、横方向に沿って第３の筐体３に施されている第２のスライドケース３３と係合している。
なお、第２の筐体２は金属などの材質で構成されており、第２の筐体２の端が縦方向及び横方向に沿って曲げ加工されることで、第１のスライドレール３０及び第２のスライドレール３２が形成されている。
【００３３】
次に動作について説明する。
この実施の形態４における携帯端末機器は、第１のスライドレール３０が縦方向に沿って第２の筐体２に施されており、第１のスライドレール３０が第１の筐体１を抱え込み、筐体側面から突出することなく、縦方向に沿って第１の筐体１に施されている第１のスライドケース３１と係合している。
これにより、第１の筐体１に対して、第２の筐体２と第３の筐体３が重なり合った状態で、縦方向にスライドすることが可能になる。
【００３４】
また、第２のスライドレール３２が横方向に沿って第２の筐体２に施されており、第２のスライドレール３２が第３の筐体３を抱え込み、筐体側面から突出することなく、横方向に沿って第３の筐体３に施されている第２のスライドケース３３と係合している。
これにより、第２の筐体２に対して、第３の筐体３が横方向にスライドすることが可能になる。
【００３５】
図１４の構成においても、図１３のように、第１のガイド溝２９と第２のガイド溝１２で構成されるスライドガイド機構を一つとすることで、スライドガイド機構を二つ以上備える構成と比較して、第１のガイド溝２９のようにスライド寸法を大きく取ることができ、キー操作部５の領域を更に拡大することが可能になる。
【００３６】
以上で明らかなように、この実施の形態４によれば、第１の筐体１を抱え込むように第１の筐体１と係合する第１のスライドレール３０が縦方向に沿って第２の筐体２に施され、第３の筐体３を抱え込むように第３の筐体３と係合する第２のスライドレール３２が横方向に沿って第２の筐体２に施されるように構成したので、スライド開閉時のガタツキを抑制することができるとともに、滑らかなスライド動作を実現することができる効果を奏する。
なお、スライドレールとスライドケースが筐体側面から突出することなく係合するため、筐体を閉じた状態でのデザイン性を損ねることがなくなる。
【図面の簡単な説明】
【００３７】
【図１】この発明の実施の形態１による携帯端末機器を示す斜視図である。
【図２】図１の携帯端末機器が縦方向に開いている状態を示す斜視図である。
【図３】図１の携帯端末機器が横方向に開いている状態を示す斜視図である。
【図４】図１の携帯端末機器の分解斜視図である。
【図５】図１の携帯端末機器が縦方向に開いている状態におけるキー操作部５，６の縦方向の断面図である。
【図６】図１の携帯端末機器が縦方向に開いている状態におけるキー操作部５，６の縦方向の断面図である。
【図７】携帯端末機器が縦方向及び横方向に閉じているときのガイド溝１１，１２とガイドピン１３の係合状態を示す説明図である。
【図８】携帯端末機器が縦方向に開いているときのガイド溝１１，１２とガイドピン１３の係合状態を示す説明図である。
【図９】携帯端末機器が横方向に開いているときのガイド溝１１，１２とガイドピン１３の係合状態を示す説明図である。
【図１０】この発明の実施の形態３による携帯端末機器を示す斜視図である。
【図１１】図１０の携帯端末機器の横方向断面図である。
【図１２】図１０の携帯端末機器の縦方向断面図である。
【図１３】第１のガイド溝２９と第２のガイド溝１２で構成されるスライドガイド機構を一つ備える例を示す説明図である。
【図１４】この発明の実施の形態４による携帯端末機器を示す斜視図である。
【図１５】図１４の携帯端末機器の横方向断面図である。
【図１６】図１４の携帯端末機器の縦方向断面図である。
【符号の説明】
【００３８】
１  第１の筐体、２  第２の筐体、３  第３の筐体、４  表示部、５，６  キー操作部、７，９  フロントケース、８，１０  リアケース、１１，２９  第１のガイド溝、１２  第２のガイド溝、１３  ガイドピン、１４  電気ケーブル、１５  コネクタ、１６  バネ（弾性部材）、１７  ボタンスイッチ、１８  クッション、１９  キーシート、２０  ドームスイッチ、２１  基板、２２  キーパネル、２３  タッチセンサー、２４，３０  第１のスライドレール、２５，３２  第２のスライドレール、２６  スライドケース、２７  横方向断面の切断箇所、２８  縦方向断面の切断箇所、３１  第１のスライドケース、３３  第２のスライドケース。
【図１】
0005025502.tif 000002
【図２】
0005025502.tif 000003
【図３】
0005025502.tif 000004
【図４】
0005025502.tif 000005
【図５】
0005025502.tif 000006
【図６】
0005025502.tif 000007
【図７】
0005025502.tif 000008
【図８】
0005025502.tif 000009
【図９】
0005025502.tif 000010
【図１０】
0005025502.tif 000011
【図１１】
0005025502.tif 000012
【図１２】
0005025502.tif 000013
【図１３】
0005025502.tif 000014
【図１４】
0005025502.tif 000015
【図１５】
0005025502.tif 000016
【図１６】
0005025502.tif 000017